(57)【要約】【課題】  低温火傷を防ぎ保温性に優れていること。【解決手段】  ケース台４とケース本体５とを互いに嵌合させ、そのケース台４とケース本体５との間に湯たんぽを収納するための収納空間６を形成したものであって、前記ケース台４が、平面視略ロ字状の環状下枠８と、該環状下枠８内に縦杆９ａ及び横杆９ｂを縦横に格子状に架設することにより形成した格子枠９とを有し、その格子枠９上に湯たんぽを載置するように形成され、前記ケース本体５が、下向き略Ｕ字状に弯曲されて両端が前記環状下枠８に所定間隔をおいて固着された多数のＵ字杆５ａからなり、ケース台４及びケース本体５を覆う布製カバー７が設けられている。【選択図】        図１
0003109639.tif 000002
【実用新案登録請求の範囲】
【請求項１】
開口穴付きケース台と開口穴付きケース本体とを互いに嵌合させ、そのケース台とケース本体との間に湯たんぽを収納するための収納空間を形成した湯たんぽ保持ケースであって、前記ケース本体の外周面を収納空間に収納した湯たんぽから所定間隔だけ離間させることによりその両者間に空気層が形成されてなる湯たんぽ保持ケース。
【請求項２】
前記ケース台が、平面視略ロ字状の環状下枠と、該環状下枠内に縦杆及び横杆を縦横に格子状に架設することにより形成した格子枠とを有し、その格子枠上に湯たんぽを載置するようにしてなる請求項１に記載の湯たんぽ保持ケース。
【請求項３】
前記ケース本体が、下向き略Ｕ字状に弯曲されて両端が前記環状下枠に所定間隔をおいて固着された多数のＵ字杆からなる請求項１または２に記載の湯たんぽ保持ケース。
【請求項４】
前記ケース本体が、下向き略Ｕ字状に弯曲されて両端が前記環状下枠に固着されたパンチングメタルからなる請求項１または２に記載の湯たんぽ保持ケース。
【請求項５】
前記ケース本体が、下向き略Ｕ字状に弯曲されて両端が前記環状下枠に所定間隔をおいて固着された多数の帯板からなる請求項１または２に記載の湯たんぽ保持ケース。
【請求項６】
前記ケース本体がケース台にヒンジを介して開閉可能に連結されてなる請求項１に記載の湯たんぽ保持ケース。
【請求項７】
前記ケース台が、平面視略ロ字状の環状下枠と、該環状下枠内に縦杆及び横杆を縦横に井桁状に架設することにより形成した井桁枠と、略Ｕ字状に折曲されて両端が井桁枠に所定間隔をおいて固着された複数のＵ字杆からなる籠と、環状下枠に固着されて籠よりも下方に延びる複数の脚杆とを有し、前記籠内に湯たんぽを収納するようにしてなる請求項６に記載の湯たんぽ保持ケース。
【請求項８】
前記ケース本体が、前記環状下枠上に載置された該環状下枠とほぼ同形の環状上枠と、下向き略Ｕ字状に弯曲されて両端が前記環状上枠に所定間隔をおいて固着された複数の骨杆と、該各骨杆にその骨杆の長手方向に沿って所定間隔をおいて平行に固着された多数の枝杆と、その適当な枝杆の両端から延びる延長部を環状上枠側に折り曲げることにより各枝杆で囲まれた収納空間を仕切る仕切り杆とを有してなる請求項６または７に記載の湯たんぽ保持ケース。
【請求項９】
前記ケース台及びケース本体が、木材を枠状に組み立てることにより形成されてなる請求項６に記載の湯たんぽ保持ケース。
【請求項１０】
前記ケース本体に布製カバーが掛けられてなる請求項１〜９のいずれかに記載の湯たんぽ保持ケース。
【考案の詳細な説明】
【技術分野】
【０００１】
本考案は、低温火傷を防ぎ保温性に優れた湯たんぽ保持ケースに関する。
【背景技術】
【０００２】
従来、湯たんぽに身体を直接に接触させると、火傷が生じるので、図１５に示すように、湯たんぽ１を布製袋２内に収納し、図１６に示すように、袋２を介して湯たんぽ１に身体Ｍを間接的に接触させるようにしている。
【特許文献１】特開２００３−３２５５６６号公報
【考案の開示】
【考案が解決しようとする課題】
【０００３】
上記従来の構成では、身体Ｍが袋２を介して湯たんぽ１に間接的に接触されるから、体感温度が下がって、当初は心地良いが、身体Ｍの同じ部分を湯たんぽ１に比較的長く接触させると、低温火傷が生じることがある。実験によれば、例えば体感温度が５０°Ｃで２分４５秒、４６°Ｃで４７分、４４°Ｃで３時間２０分で、低温火傷が生じることが確かめられた。
【０００４】
そこで、例えば厚手のタオルを湯たんぽ１に幾重にも巻き付けることも考えられるが、これでは、タオルの熱伝導率が比較的低いので、湯たんぽ１の熱が身体Ｍに伝わり難くなり、また、タオルの巻き付け及びそれを解くのに手間がかかって面倒である。
【０００５】
本考案は、上記従来の欠点に鑑み、低温火傷を防ぎ保温性に優れた湯たんぽ保持ケースを提供することを目的としている。
【課題を解決するための手段】
【０００６】
上記目的を達成するための構成を実施の形態に対応する図面に基づいて説明すると、請求項１に記載の考案は、図１〜図５に示すように、開口穴ｂ付きケース台４と開口穴ｂ付きケース本体５とを互いに嵌合させ、そのケース台４とケース本体５との間に湯たんぽ１を収納するための収納空間６を形成した湯たんぽ保持ケースであって、前記ケース本体５の外周面を収納空間６に収納した湯たんぽ１から所定間隔ｈだけ離間させることによりその両者間１，５に空気層ａが形成されてなる構成を採用するものである。
【０００７】
請求項２に記載の考案は、請求項１に記載の考案において、前記ケース台４が、平面視略ロ字状の環状下枠８と、該環状下枠８内に縦杆９ａ及び横杆９ｂを縦横に格子状に架設することにより形成した格子枠９とを有し、その格子枠９上に湯たんぽ１を載置するようにしてなる構成を採用するものである。
【０００８】
請求項３に記載の考案は、請求項１または２に記載の考案において、前記ケース本体５が、下向き略Ｕ字状に弯曲されて両端が前記環状下枠８に所定間隔をおいて固着された多数のＵ字杆５ａからなる構成を採用するものである。
【０００９】
請求項４に記載の考案は、図６に示すように、請求項１または２に記載の考案において、前記ケース本体５が、下向き略Ｕ字状に弯曲されて両端が前記環状下枠８に固着されたパンチングメタル５ｂからなる構成を採用するものである。
【００１０】
請求項５に記載の考案は、図７に示すように、請求項１または２に記載の考案において、前記ケース本体５が、下向き略Ｕ字状に弯曲されて両端が前記環状下枠８に所定間隔をおいて固着された多数の帯板５ｃからなる構成を採用するものである。
【００１１】
請求項６に記載の考案は、図８（ｂ）に示すように、請求項１に記載の考案において、前記ケース本体５がケース台４にヒンジ１４を介して開閉可能に連結されてなる構成を採用するものである。
【００１２】
請求項７に記載の考案は、図８〜図１１に示すように、請求項６に記載の考案において、前記ケース台４が、平面視略ロ字状の環状下枠１５と、該環状下枠１５内に縦杆１６ａ及び横杆１６ｂを縦横に井桁状に架設することにより形成した井桁枠１６と、略Ｕ字状に折曲されて両端が井桁枠１６に所定間隔をおいて固着された複数のＵ字杆１７ａからなる籠１７と、環状下枠１５に固着されて籠１７よりも下方に延びる複数の脚杆１８とを有し、前記籠１７内に湯たんぽ１を収納するようにしてなる構成を採用するものである。
【００１３】
請求項８に記載の考案は、請求項６または７に記載の考案において、前記ケース本体５が、前記環状下枠１５上に載置された該環状下枠１５とほぼ同形の環状上枠２０と、下向き略Ｕ字状に弯曲されて両端が前記環状上枠２０に所定間隔をおいて固着された複数の骨杆２１と、該各骨杆２１にその骨杆２１の長手方向に沿って所定間隔をおいて平行に固着された多数の枝杆２２と、その適当な枝杆２２の両端から延びる延長部を環状上枠２０側に折り曲げることにより各枝杆２２で囲まれた収納空間６を仕切る仕切り杆２３とを有してなる構成を採用するものである。
【００１４】
請求項９に記載の考案は、図１２〜図１４に示すように、請求項６に記載の考案において、前記ケース台４及びケース本体５が、木材を枠状に組み立てることにより形成されてなる構成を採用するものである。
【００１５】
請求項１０に記載の考案は、請求項１〜９のいずれかに記載の考案において、前記ケース本体５に布製カバー７が掛けられてなる構成を採用するものである。
【考案の効果】
【００１６】
請求項１に記載の考案によれば、開口穴ｂ付きケース台４と開口穴ｂ付きケース本体５との間の収納空間６内に収納した湯たんぽ１からケース本体５の外周面を所定間隔ｈだけ離間させているので、そのケース本体５を介して湯たんぽ１に身体Ｍの同じ部分を比較的長く対向させても、体感温度が上がり過ぎることがなく、低温火傷を防ぐことができる。
【００１７】
また、ケース本体５の外周面と湯たんぽ１との間に形成した空気層ａの熱伝導率が比較的高いので、身体Ｍを良好に暖めることができる。
【００１８】
請求項２に記載の考案によれば、ケース台４が環状下枠８と格子枠９とからなり、構造簡単で製作費が安くつき、格子枠９上に湯たんぽ１を安定して載せることができ、環状下枠８及び格子枠９に大きな開口穴ｂが形成されているから、その開口穴ｂを通って湯たんぽ１の発熱を効率良く外部に放出させることができる。
【００１９】
請求項３に記載の考案によれば、ケース本体５が多数のＵ字杆５ａからなり、構造簡単で製作費が安くつき、湯たんぽ１との間に所定厚さの空気層ａを形成して低温火傷を防ぐことができ、各Ｕ字杆５ａ間に大きな開口穴ｂが形成されているから、その開口穴ｂを通って湯たんぽ１の発熱を効率良く外部に放出させることができる。
【００２０】
請求項４に記載の考案によれば、ケース本体５がパンチングメタル５ｂからなり、請求項３に記載の考案とほぼ同様の効果を得ることができる。
【００２１】
請求項５に記載の考案によれば、ケース本体５が多数の帯板５ｃからなり、請求項３に記載の考案とほぼ同様の効果を得ることができる。
【００２２】
請求項６に記載の考案によれば、ケース本体５をヒンジ１４回りで開動させることにより、熱い湯たんぽ１でも指部に火傷を負うことなくケース台４上に迅速容易に載置したり、冷えた湯たんぽ１をケース台４上から簡単に取り出すことができる。
【００２３】
請求項７に記載の考案によれば、ケース台４が環状下枠１５と井桁枠１６と籠１７と各脚杆１８とからなり、構造簡単で製作費が安くつき、籠１７上に湯たんぽ１を安定して載せることができ、該籠１７に大きな開口穴ｂが形成されているから、その開口穴ｂを通って湯たんぽ１の発熱を効率良く外部に放出させることができ、しかも、各脚杆１８により籠１７を浮かせて、その籠１７の下方に空気層ａが形成されているので、保温性を良好に確保することができる。
【００２４】
請求項８に記載の考案によれば、環状上枠２０、各骨杆２１、各枝杆２２及び仕切り杆２３によりケース本体５が形成されており、構造簡単で製作費が安くつき、湯たんぽ１との間に所定厚さの空気層ａを形成して低温火傷を防ぐことができ、各枝杆２２間に大きな開口穴ｂが形成されているから、その開口穴ｂを通って湯たんぽ１の発熱を効率良く外部に放出させることができる。
【００２５】
請求項９に記載の考案によれば、ケース台４及びケース本体５が良好な肌触りの木材で形成されているから、気持ち良く使うことができる。
【００２６】
請求項１０に記載の考案によれば、布製カバー７によりケース本体５内の空気層ａを覆っているので、保温性に優れていると共に、その布製カバー７が身体Ｍに優しく当たって肌触りが良好である。
【考案を実施するための最良の形態】
【００２７】
図１〜図５は本考案の第１の実施の形態である湯たんぽ保持ケースを示すものであって、ケース台４とケース本体５とを互いに嵌合させ、そのケース台４とケース本体５との間に湯たんぽ１を収納するための収納空間６を形成し、ケース台４及びケース本体５を覆う布製カバー７が設けられている。
【００２８】
前記ケース台４は、図４に示すように、平面視略ロ字状の金属製環状下枠８と、該環状下枠８内に縦杆９ａ及び横杆９ｂを縦横に格子状に架設することにより形成した金属製格子枠９とを有しており、構造簡単で製作費が安くつき、環状下枠８及び格子枠９に大きな開口穴ｂが形成されているから、その開口穴ｂを通って湯たんぽ１の発熱を効率良く外部に放出させることができる。また、図３に示すように、縦杆９ａの一端部を直角に折り曲げて収納空間６の一端開口部６ａを外部と仕切る仕切り杆１０が形成されており、湯たんぽ１を収納空間６の他方開口部６ｂから挿入して格子枠９上に安定して載せることができる。
【００２９】
前記ケース本体５は、図２に示すように、下向き略Ｕ字状に弯曲されて両端が環状下枠８に所定間隔をおいて固着された多数の金属製Ｕ字杆５ａからなっており、構造簡単で製作費が安くつき、図５に示すように、各Ｕ字杆５ａの外周面を湯たんぽ１から所定間隔ｈ（例えば２、３ｃｍ）だけ離間させることにより、その各Ｕ字杆５ａと湯たんぽ１との間に所定厚さの空気層ａを形成して低温火傷を防ぐことができ、各Ｕ字杆５ａ間に大きな開口穴ｂが形成されているから、その開口穴ｂを通って湯たんぽ１の発熱を効率良く外部に放出させることができる。なお、図２中、１１は各Ｕ字杆５ａの端部に溶接された金属製補強杆である。
【００３０】
前記カバー７は、図１に示すように、密閉袋状であって、その一端開口部７ａがファスナ１２により開閉可能に吻合されており、ケース本体５内の空気層ａを覆っているので、保温性に優れていると共に、その布製カバー７が身体Ｍに優しく当たって肌触りが良好である。
【００３１】
上記構成によれば、図２に示すように、ケース本体５を介して湯たんぽ１に身体Ｍの同じ部分を比較的長く対向させても、体感温度が例えば４２°Ｃ程度に抑えられて上がり過ぎることがなく、低温火傷を防ぐことができる。
【００３２】
また、ケース本体５の外周面と湯たんぽ１との間に形成した空気層ａの熱伝導率が比較的高いので、身体Ｍを良好に暖めることができる。
【００３３】
図６は本考案の第２の実施の形態である湯たんぽ保持ケースを示すものであって、ケース本体５が、下向き略Ｕ字状に弯曲されて両端が前記環状下枠８に固着されたパンチングメタル５ｂにより形成されており、第１の実施の形態（図１〜図５参照）とほぼ同じ効果を得ることができる。なお、上記以外の構成は第１の実施の形態とほぼ同じであるから、同一部分に同一符号を付してその説明を省略する。
【００３４】
図７は本考案の第３の実施の形態である湯たんぽ保持ケースを示すものであって、ケース本体５が、下向き略Ｕ字状に弯曲されて両端が前記環状下枠８に所定間隔をおいて固着された多数の帯板５ｃにより形成されており、第１の実施の形態（図１〜図５参照）とほぼ同じ効果を得ることができる。なお、上記以外の構成は第１の実施の形態とほぼ同じであるから、同一部分に同一符号を付してその説明を省略する。
【００３５】
図８〜図１１は本考案の第４の実施の形態である湯たんぽ保持ケースを示すものであって、ケース本体５がケース台４に一対のヒンジ１４を介して開閉可能に連結されている。上記以外の構成で第１の実施の形態と同じ部分に同一符号を付してその説明を省略する。
【００３６】
前記ケース台４は、図１１に示すように、平面視略ロ字状の金属製環状下枠１５と、該環状下枠１５内に縦杆１６ａ及び横杆１６ｂを縦横に井桁状に架設することにより形成した金属製井桁枠１６と、略Ｕ字状に折曲されて両端が井桁枠１６の縦杆１６ａに所定間隔をおいて固着された複数のＵ字杆１７ａからなる金属製籠１７と、環状下枠１５に固着されて籠１７よりも下方に延びる複数の金属製略Ｕ字状脚杆１８とを有しており、構造簡単で製作費が安くつき、籠１７上に湯たんぽ１を安定して載せることができ、該籠１７に大きな開口穴ｂが形成されているから、その開口穴ｂを通って湯たんぽ１の発熱を効率良く外部に放出させることができ、しかも、図１０に示すように、各脚杆１８により籠１７を浮かせて、その籠１７の下方に空気層ａが形成されているので、保温性を良好に確保することができる。
【００３７】
前記ケース本体５は、図９に示すように、環状下枠１５上に載置された該環状下枠１５とほぼ同形の環状上枠２０と、下向き略Ｕ字状に弯曲されて両端が前記環状上枠２０に所定間隔をおいて固着された複数の骨杆２１と、該各骨杆２１にその骨杆２１の長手方向に沿って所定間隔をおいて平行に固着された多数の枝杆２２と、その適当な枝杆２２の両端から延びる延長部を環状上枠２０側に折り曲げることにより各枝杆２２で囲まれた収納空間６を仕切る仕切り杆２３とを有しており、構造簡単で製作費が安くつき、湯たんぽ１との間に所定厚さの空気層ａを形成して低温火傷を防ぐことができ、各枝杆２２間に大きな開口穴ｂが形成されているから、その開口穴ｂを通って湯たんぽ１の発熱を効率良く外部に放出させることができる。
【００３８】
前記各ヒンジ１４は、図９に示すように、環状下枠１５及び環状上枠２０に外嵌する略Ｏ字状金属環１４ａからなり、環状上枠２０を中心にケース本体５を開閉させることができる。
【００３９】
上記構成によれば、第１の実施の形態とほぼ同様の効果を得ることができ、特に、ケース本体５をヒンジ１４回りで開動させることにより、熱い湯たんぽ１でも指部に火傷を負うことなく籠１７上に迅速容易に載置したり、冷えた湯たんぽ１を籠１７上から簡単に取り出すことができる。
【００４０】
図１２〜図１４は本考案の第５の実施の形態である湯たんぽ保持ケースを示すものであって、ケース台４が、木材を枠状に組み立てることにより形成した開口穴ｂつき側壁部２５と、該側壁部２５内の下部に配置した木製底板部２６とにより箱状に形成され、ケース本体５が木材を枠状に組み立てることにより形成された開口穴ｂつき天板２７からなり、２つのヒンジ１４の枢支軸回りで回動可能な一対のヒンジ板１４ｂをそれぞれ天板２７の一側縁と側壁部２５の上面とに止着することにより、そのヒンジ１４回りで天板２７を開閉させるようになっており、第４の実施の形態（図８〜図１１参照）とほぼ同様の効果を得ることができ、特に、ケース台４及びケース本体５が良好な肌触りの木材で形成されているから、気持ち良く使うことができる。
【図面の簡単な説明】
【００４１】
【図１】本考案の第１の実施の形態である湯たんぽ保持ケースの斜視図である。
【図２】同横断面図である。
【図３】図２のＡ−Ａ矢視図である。
【図４】図３のＢ−Ｂ矢視図である。
【図５】同要部の拡大縦断面図である。
【図６】本考案の第２の実施の形態である湯たんぽ保持ケースの斜視図である。
【図７】本考案の第３の実施の形態である湯たんぽ保持ケースの斜視図である。
【図８】（ａ）は本考案の第４の実施の形態である湯たんぽ保持ケースの斜視図、（ｂ）はケース本体開動状態の斜視図である。
【図９】同横断面図である。
【図１０】図９のＣ−Ｃ矢視図である。
【図１１】図１０のＤ−Ｄ矢視図である。
【図１２】（ａ）は本考案の第５の実施の形態である湯たんぽ保持ケースの斜視図、（ｂ）はケース本体開動状態の斜視図である。
【図１３】同縦断面図である。
【図１４】図１３のＥ−Ｅ矢視図である。
【図１５】従来例を示す斜視図である。
【図１６】同横断面図である。
【符号の説明】
【００４２】
１        湯たんぽ
４        ケース台
５        ケース本体
５ａ      Ｕ字杆
５ｂ      パンチングメタル
５ｃ      帯板
６        収納空間
７        カバー
８        環状下枠
９        格子枠
９ａ      縦杆
９ｂ      横杆
１４      ヒンジ
１５      環状下枠
１６      井桁枠
１６ａ    縦杆
１６ｂ    横杆
１７      籠
１７ａ    Ｕ字杆
１８      脚杆
２０      環状上枠
２１      骨杆
２２      枝杆
２３      仕切り杆
ａ        空気層
ｂ        開口穴
【図１】
0003109639.tif 000003
【図２】
0003109639.tif 000004
【図３】
0003109639.tif 000005
【図４】
0003109639.tif 000006
【図５】
0003109639.tif 000007
【図６】
0003109639.tif 000008
【図７】
0003109639.tif 000009
【図８】
0003109639.tif 000010
【図９】
0003109639.tif 000011
【図１０】
0003109639.tif 000012
【図１１】
0003109639.tif 000013
【図１２】
0003109639.tif 000014
【図１３】
0003109639.tif 000015
【図１４】
0003109639.tif 000016
【図１５】
0003109639.tif 000017
【図１６】
0003109639.tif 000018